(57)【要約】      （修正有）【課題】安定性があり、スタンド本体を壁面などに貼付して使用可能な表示体支持用スタンドを提供する。【解決手段】折曲げ可能な材料からなるスタンド構成用薄板Ｍの全長間に、基端から所定の距離に少なくとも１つの折曲げ線１ａ、２ａを設けて基端部と先端部とを形成し、基端部は被貼付体に貼付するための貼付部材１０を備え、先端部に所定の表示体の端を挟み込むための切り溝ｍを設け、少なくとも１つの折曲げ線１ａ、２ａの折り曲げに基づき所望の形態に変形可能である。【選択図】図１
0003212036.tif 000002
【実用新案登録請求の範囲】
【請求項１】
折曲げ可能な材料からなるスタンド構成用薄板の全長間に、基端から所定の距離に少なくとも１つの折曲げ線を設けて基端部と先端部とを形成し、
前記基端部は被貼付体に貼付するための貼付部材を備え、
前記先端部に所定の表示体の端を挟み込むための切り溝を設け、
前記少なくとも１つの折曲げ線の折り曲げに基づき所望の形態に変形可能である表示体支持用スタンド。
【請求項２】
前記スタンド構成用薄板は、透過性を有する樹脂からなる一枚の可撓性平板からなる請求項１記載の表示体支持用スタンド。
【請求項３】
前記切り溝の両終端位置に孔部が形成される請求項１又は２に記載の表示体支持用スタンド。
【考案の詳細な説明】
【技術分野】
【０００１】
本考案は、ＰＯＰ広告用等の表示体を支持するための表示体支持用スタンドに関する。
【背景技術】
【０００２】
従来のこの種の表示体支持用スタンドとして、スタンドの姿態が一種類であり表示体の表示形態が限定的となるものが種々知られている。
しかし、商品の展示販売等を行う場合、その展示形態に即応させた表示体の表示形態を実現することが求められることもある。そのような異なった表示形態を採る場合、スタンドによる表示形態が固定化されていると、新たの別種類のスタンドを準備する必要がありコストが掛かるという問題があった。
そこで、一種類のスタンドで極めて多種類の表示形態を任意に採ることができるようにしてＰＯＰ広告用万能スタンドの役割を果たす関連技術として、本出願人の出願に係る、ブックショップ等の各種店舗で値札等を立てて表示するための表示用スタンドとして、値札等の札の表示形態に著しく多様性を持たせることができるようにしたスタンドが提案されている（特許文献１参照）。
【先行技術文献】
【特許文献】
【０００３】
【特許文献１】実用新案登録第３１３０９３７号公報
【考案の概要】
【考案が解決しようとする課題】
【０００４】
しかしながら、上記の関連技術は、スタンド本体を所定の載置台の上に載置して使用するものであり、重しとなる書籍などがない場合には倒れ易く安定性に欠け、また、スタンド本体を壁面などに貼付して使用することはできないという問題点があった。
【０００５】
本考案の目的は、安定性があり、スタンド本体を壁面などに貼付して使用可能な表示体支持用スタンドを提供することにある。
【課題を解決するための手段】
【０００６】
本考案の表示体支持用スタンドは、
折曲げ可能な材料からなるスタンド構成用薄板の全長間に、基端から所定の距離に少なくとも１つの折曲げ線を設けて基端部と先端部とを形成し、
前記基端部は被貼付体に貼付するための貼付部材を備え、
前記先端部に所定の表示体の端を挟み込むための切り溝を設け、
前記少なくとも１つの折曲げ線の折り曲げに基づき所望の形態に変形可能である。
このように構成することにより、一枚の板状体を折り曲げて種々の姿態を形成し、また、貼付部材により載置台に貼付して安定して使用可能であり、さらに貼付部材により壁面等の被貼付体にスタンド自体を貼付することができる。
【０００７】
また、本考案の表示体支持用スタンドは、前記スタンド構成用薄板は、透過性を有する樹脂からなる一枚の可撓性平板からなることであってもよい。
このように構成することにより、透過性を有することから表示体を外部から視認可能となるので、展示効果が大きくなる。また、樹脂からなることにより、紙等と異なり耐久性や重量等の点で有利となる。特に、ＰＥＴであることにより、リサイクルも可能で環境にも配慮することができ、ユーザも利用意欲が高くなるという顕著な効果を奏する。
【０００８】
また、本考案の表示体支持用スタンドは、切り溝の両終端位置に孔部が形成されることであってもよい。
このように構成することにより、挟み込んだ表示体をしっかり保持して抜けにくくすることができる。
【考案の効果】
【０００９】
本考案によれば、安定性があり、スタンド本体を壁面などに貼付して使用可能な表示体支持用スタンドを提供することができる。
【図面の簡単な説明】
【００１０】
【図１】扁平状態にある本考案の第一の実施の形態に係る表示体支持用スタンドの平面図である。
【図２】本考案の第一の実施の形態に係る表示体支持用スタンドの表面シールを説明する図である。
【図３】本考案の第一の実施の形態に係る表示体支持用スタンドの各種使用態様を説明する図である。
【図４】本考案の第一の実施の形態に係る表示体支持用スタンドにＰＯＰ広告用紙を挟んだ状態を説明する図である。
【図５】扁平状態にある本考案の第二の実施の形態に係る表示体支持用スタンドの平面図である。
【考案を実施するための形態】
【００１１】
以下、本考案の第一の実施の形態を図面を参照しつつ説明する。
本実施形態における表示体支持用スタンドＳのスタンド構成用薄板Ｍは、全体を折り曲げ・復元可能な樹脂、金属又は紙などの長手状の平板に折曲線、切り溝（スリット）を設定している。
【００１２】
図１及び図２に示すように、スタンド構成用薄板Ｍは、ここでは透明の樹脂であるＰＥＴ（ポリエチレンテレフタラート）からなり、厚み寸法は０．６ｍｍ〜１．５ｍｍ程度であり、特に１．０ｍｍであれば好適である。ＰＥＴは、リサイクル容易で、コスト低廉、軽量との利点を有し、材料自体が地球環境に優しく、しかも美麗で高級感を醸し出すことができる。
【００１３】
切り溝ｍはスタンド構成用薄板Ｍの先端側に略弧字状に設けられ、ＰＯＰ広告用の紙媒体などのような所定の表示体２０の端を挟み込むためのものである。そして、当該切り溝ｍは、その先端寄り部分が開いて表示体２０の端を挟み込むような円弧状形態に形成されている。
また、切り溝ｍの両終端位置にはそれぞれ径５ｍｍ程度の孔部ｈが設けられ、表示体２０が切り溝ｍと孔部ｈが形成する鋭角部分により、一層強固に挟まれて抜けないように挟持する。
さらに、スタンド構成用薄板Ｍの厚み寸法が１．０ｍｍであれば、厚み寸法が小さい場合と比較して、ＰＯＰ広告用の紙媒体などがラミネート加工等されており滑りやすい素材であっても、孔部ｈと相俟って抜けることなく挟持し続けることができる。
【００１４】
スタンド構成用薄板Ｍには、その全長１４０ｍｍ（幅長４０ｍｍ）間に、所定の長さ毎に下記のような折曲げ線が形成されている。
すなわち、図１に示すように、スタンド構成用薄板Ｍの基端から４０ｍｍ距離に第１折曲げ線１ａを設けて第一板部１を形成し、また、これから５５ｍｍの距離を保って第２折曲げ線２ａを設けて第二板部２を形成し、残りの４５ｍｍの距離を保って先端までに至る部分を第三板部３とするように構成している。なお、これはドラッグストアやブックショップ等での利用に最適とする寸法設定である。そして、この場合に使用する表示体（ＰＯＰ用など）の大きさは名刺や葉書サイズ程度が適している。
【００１５】
また、上記した折曲げ線は図示のように折曲げの容易性を図るための筋押し線とすることが好ましいが、単に線的表示を施しただけの形態で実施するように構成しても良い。そして、このような筋押し線とすることにより、何度でも折り曲げても使用できることとなる。
【００１６】
第一板部１には、貼付部材１０（例えば、一辺の長さ寸法１７ｍｍの正方形、厚み寸法１ｍｍ。）が設けられている。貼付部材１０は、スタンド本体を被貼付体としてのとしてのレジカウンターや書棚等に貼り付けることができればどのようなものであってもよく、複数設けられてもよい。貼付部材１０は好適には透明の材質からなる。例えば、接着剤が塗布されたシート等である。貼付部材１０には、使用前には粘着部を保護する表面シールが付されており使用時に当該シールを剥がして粘着部を露出させることであってもよい（図２参照）。
また、貼付部材１０は、容易に、きれいに、貼ったり剥がせたりすることができるものであることが望ましく、さらに繰り返し、貼ったり剥がせたりすることができるものであることが好ましい。繰り返しの使用により汚れ・埃等が付着して粘着力が弱まった場合には水等で洗うことで再び粘着力が復活する素材で形成されていてもよい。貼付部材１０の色は任意であるが、透明であることが望ましい。例えば、貼って剥がせるタイプの両面テープである。
【００１７】
上記したような各折曲げ線の形成は、スタンド構成用薄板Ｍの第１折曲げ線１ａ及び第２折曲げ線２ａを任意の角度で山折り又は谷折りして種々の形態を実現し、これらを夫々図３に示すような状態で使用するためのものである。従って、基端から第１折曲げ線１ａまでの第一板部板1部分および第二板部２部分はスタンドの脚部としての役割を果たし、第三板部３は表示札挟み込み用板部としての役割を、夫々主として果たすように構成されている。
【００１８】
図３に示すように、表示体支持用スタンドＳは、ドラッグストアやブックショップ等の棚の上部に貼付されたり、細い箇所に貼付されたり、横に飛び出して貼付されたり、手前に飛び出すように貼付されたり、上向きや下向きになるように貼付されたり、種々の形態で、様々な場所に設置することができる。もちろん、従来のように載置台の上に表示体支持用スタンドＳを載置するような場合であっても載置台に貼付することでより一層安定性が高まるように固定化されることとなる。
【００１９】
図４に示すように、表示体支持用スタンドＳは表示体２０としてのＰＯＰ広告用の紙媒体などを切り溝ｍに挟み込んで支持する使用態様となる。
なお、第一板部１、第二板部２および第三板部３に予め印刷（名入れ）を施していてもよい。ＰＥＴであるので簡単にフルカラー印刷が可能である。商品としての表示体支持用スタンドＳの訴求性を高めることができる。
【００２０】
次に、本考案の第二の実施の形態を図面を参照しつつ説明する。
上記の第一の実施の形態における表示体支持用スタンドＳと基本的な構成は共通するので重複する説明は省略する。
【００２１】
図５に示すように、本実施形態のスタンド構成用薄板Ｍ´は、第二板部２が存在しない。
スタンド構成用薄板Ｍ´は、全体的にミニ型であり、その全長６３ｍｍ（幅長３０ｍｍ）間にスタンド構成用薄板Ｍ´の基端から３０ｍｍ距離に折曲げ線を設けて構成している。なお、これはドラッグストアやブックショップ等の他、スーパーやコンビニ、さらに飲食店のテーブルの上にメニュー表とともに利用する際等に最適とする寸法設定である。
本実施形態の表示体支持用スタンドＳ´も、載置台に貼付することでより一層安定性が高まるように固定化されたり、また、棚の上部に貼付されたり、細い箇所に貼付されたり、横に飛び出して貼付されたり、手前に飛び出すように貼付されたり、種々の形態で、様々な場所に設置することができる。
【００２２】
[その他の実施の形態]
上記の実施の形態では、全体を透明の樹脂材であるＰＥＴにより形成しているが、少なくとも一部分を着色や不透明の材料で形成することはもちろん、一部分を紙材等、公知の任意の材料で形成することであってもよい。
上記の実施の形態における、貼付部材１０は、任意の位置、形状に形成されることであってよい。
【００２３】
その他、一々例示はしないが、本考案は、その趣旨を逸脱しない範囲内において、各構成部分の大きさや形状を含む種々の変更が加えられて実施されてよい。
【符号の説明】
【００２４】
Ｓ、Ｓ´      表示体支持用スタンド
Ｍ、Ｍ´      スタンド構成用薄板
ｈ      孔部
ｍ      切り溝
１      第一板部
１ａ    第１折曲げ線
２      第二板部
２ａ    第２折曲げ線
３      第三板部
１０    貼付部材
２０    表示体
【図１】
0003212036.tif 000003
【図２】
0003212036.tif 000004
【図３】
0003212036.tif 000005
【図４】
0003212036.tif 000006
【図５】
0003212036.tif 000007